(57)【特許請求の範囲】
【請求項１】
機関の吸排気弁に連係するアーマチュアと、該アーマチュアを吸引して前記吸排気弁を開作動及び閉作動させる開弁用，閉弁用の電磁石と、前記吸排気弁を閉方向及び開方向へ付勢して中立位置に保持する開弁側，閉弁用のばね部材とを備えた吸排気弁の電磁駆動装置において、
前記吸排気弁のステムエンドに設けられたバルブリフターと前記アーマチュアの中央に設けられてバルブリフターに対向配置されたタペットとの間に、吸排気弁の開閉駆動力を伝達する伝達カムを介装し、
該伝達カムは、少なくとも前記バルブリフターに当接するカム面を有し、該カム面のカムプロフィールにしたがって、前記バルブリフターを介して前記吸排気弁を開閉駆動することを特徴とする吸排気弁の電磁駆動装置。
【請求項２】
前記伝達カムは、前記バルブリフターに当接する円弧凸状の第１カム面と、前記タペットに当接する円弧凸状の第２カム面とを有し、一端部を支点として揺動自在に設けられていることを特徴とする請求項１記載の吸排気弁の電磁駆動装置。
【請求項３】
前記伝達カムの第２カム面の長さを第１カム面よりも短く形成して、伝達カムの揺動により得られる前記タペットのリフト量を前記バルブリフターのリフト量よりも小さく設定したことを特徴とする請求項２記載の吸排気弁の電磁駆動装置。
【請求項４】
前記閉弁側ばね部材をバルブリフターとシリンダヘッドとの間に弾装すると共に、前記伝達カムの一端部を回動自在に支持するカム支軸に、吸排気弁のバルブクリアランスを零調整するラッシアジャスタをアームを介して連係させたことを特徴とする請求項２または３記載の吸排気弁の電磁駆動装置。
【請求項５】
前記吸排気弁の弁軸の軸心と前記タペットのタペット支軸の軸心を、機関巾方向へオフセット配置したことを特徴とする請求項１〜４のいずれかに記載の吸排気弁の電磁駆動装置。
【請求項６】
前記アーマチュアと電磁石及びタペットとを備えた電磁駆動機構と、伝達カムとラッシアジャスタとを備えた伝達機構とを同一のケーシング内に収納保持すると共に、該ケーシングを、シリンダヘッド上に固定したことを特徴とする請求項１〜５のいずれかに記載の吸排気弁の電磁駆動装置。
【請求項７】
前記閉弁側ばね部材をバルブリフターとシリンダヘッドとの間に弾装すると共に、前記バルブリフターの内部に、吸排気弁のバルブクリアランスを零調整するラッシアジャスタを設けたことを特徴とする請求項２または３記載の吸排気弁の電磁駆動装置。
【請求項８】
前記伝達カムが収納されるケーシングの内面に一対のボス部を対向して設けると共に、前記伝達カムを前記両ボス部間に設けられたカム支軸を支点として上下方向へ回動自在に設けたことを特徴とする請求項７記載の吸排気弁の電磁駆動装置。
【発明の詳細な説明】
【０００１】
【発明の属する技術分野】
本発明は、例えば自動車用内燃機関の吸排気弁を主として電磁力で開閉駆動する電磁駆動装置に関する。
【０００２】
【従来の技術】
この種の従来の電磁駆動装置としては、例えば特開平８−２１２２０号公報等に記載されているものが知られている。
【０００３】
図１６に基づいて概略を説明すれば、機関のシリンダヘッド１に摺動自在に設けられた吸気弁２と、吸気弁２を開閉駆動する電磁駆動機構３とを備えている。
【０００４】
前記吸気弁２は、吸気ポート４の開口端を開閉する傘部２ａと、該傘部２ａの上端部に一体に設けられたバルブステム２ｂとを有している。
【０００５】
前記電磁駆動機構３は、シリンダヘッド１上に固定されたケーシング５内に挿通されたバルブステム２ｂの上端部に円板状のアーマチュア６が固定されていると共に、ケーシング５の内部上下位置に前記アーマチュア６を吸引して吸気弁２を開閉作動させる閉弁用電磁石７及び開弁用電磁石８が配置されている。
【０００６】
また、ケーシング５の上壁とアーマチュア６の上面との間には、吸気弁２を開方向へ付勢する開弁側スプリング９が弾持され、一方、シリンダヘッド１上面のシート溝底面とアーマチュア６の下面との間には、吸気弁２を閉方向へ付勢する閉弁側スプリング１０が弾持されている。さらに、前記各電磁石７，８は、夫々のコイルに増幅器１１を介して電子制御ユニット１２からの制御電流が出力されるようになっている。
【０００７】
この電子制御ユニット１２は、機関回転数センサ１３や閉弁用電磁石７の温度検出センサ１４からの検出信号に基づいて両電磁石７，８の通電量を制御するようになっている。なお、図中１５は電源である。
【０００８】
そして、前記２つのスプリング９，１０のばね力と２つの電磁石７，８による吸引力とによって、各スプリング９，１０に蓄力して位置エネルギーとして保持し、電磁力の開放，吸引を交互に繰り返すことによって吸気弁２を開閉駆動させるようになっている。
【０００９】
【発明が解決しようとする課題】
しかしながら、前記従来の電磁駆動装置にあっては、吸気弁２の開閉時に各電磁石７，８の電磁吸引力が、該吸引力に対抗する各スプリング９，１０のばね力よりも増大してしまうため、閉弁時には傘部２ａがバルブシート４ａに激しく衝突し、また開弁時にはアーマチュア６が開弁用電磁石８に衝突してしまうおそれがある。
【００１０】
すなわち、図１７Ａ，Ｂに基づいて各電磁石７，８の吸引力増加原理を説明すれば、図１７Ｂは、吸気弁２開閉時の電磁吸引力特性とスプリング９，１０のばね力特性を示しており、まず、閉弁時に閉弁用電磁石７の吸引力にアーマチュア６が上方に吸引される。よって、吸気弁２が上方へ摺動すると、閉弁側スプリング１０が伸長される一方、開弁側スプリング９が圧縮されてばね力が増大し、ばね力が蓄えられる。
【００１１】
次に、開弁時には、閉弁用電磁石７にＯＦＦ信号（非通電信号）が出力される一方、開弁用電磁石８にＯＮ信号（通電信号）が出力され、アーマチュア６が下方へ吸引され、吸気弁２が下方へ摺動すると、開弁側スプリング９が伸長されて閉弁側スプリング１０が圧縮されてばね力が増大しばね力が蓄えられる。
【００１２】
したがって、閉弁時及び開弁時には開弁側，閉弁側の各コイルスプリング９，１０の増大したばね力で吸気弁２の摺動速度が減速させられるが、かかる開，閉切換時には圧縮及び伸長したばね反力に加えて吸引側の電磁石７，８の吸引力が急激に増加する。つまり、各電磁石７，８の電磁吸引力は、アーマチュア６と電磁石７，８の各固定コア７ａ，８ａとの間の距離のほぼ２乗に反比例して増大する。したがって、かかる増大した吸引力が各スプリング９，１０の圧縮，伸長側の合成ばね力に打ち勝ってアーマチュア６を十分に減速させることなく、上方あるいは下方向へ急激に移動させる。したがって、吸気弁２は、図１７Ａに示すように、最大開時と閉時に急激なリフト，ダウン変化し、この結果、閉時には傘部２ａがバルブシート４ａに衝突し、開時にはアーマチュア６が開弁用電磁石８に衝突して、夫々大きな打音を発生させると共に、アーマチュア６やバルブシート４ａ等の摩耗や破損を惹起するおそれがある。
【００１３】
また、従来の装置では、吸気弁２の傘部２ａをバルブシート４ａに対して適切な面圧で付勢するため、閉弁用電磁石７の吸引力と開弁側スプリング９のばね力とを適度にバランスさせる必要があるが、各スプリング９，１０の経時変化によるヘタリやバルブステム２ｂの熱膨張、及びバルブシート４ａの摩耗等に起因してアーマチュア６と電磁石７の固定コア７ａのギャップ変化が生じて電磁力が大きく変化してしまう。この結果、十分な閉弁保持力が得られず、傘部２ａとバルブシート４ａとの間にクリアランスが発生してシール性が失われたり、またはシート部に異物が堆積しやすくなって、バルブの放熱性が悪化してバルブの溶損などを招くおそれがある。
【００１４】
さらに、従来例にあっては、装置をシリンダヘッド１上に組み付けるには、まず吸気弁２をシリンダヘッド１下方から挿入して、バルブステム２ｂ上端部に、開弁用電磁石８を取り付けた後、該バルブステム２ｂにアーマチュア６を固定しなければならない。つまり、シリンダヘッド１上で電磁駆動機構３を組み付けなければならないため、その組み付け作業が煩雑となる。特に、かかる組み付け中に前記のように適正な閉弁保持力を得るためにアーマチュア６の上限，下限位置の正確な調整が要求されるため、さらに組み付け作業能率が低下するおそれがある。
【００１５】
【課題を解決するための手段】
本発明は、前記従来装置の課題に鑑みて案出されたもので、請求項１記載の発明は、機関の吸排気弁に連係するアーマチュアと、該アーマチュアを吸引して前記吸排気弁を開作動及び閉作動させる開弁用，閉弁用の電磁石と、前記吸排気弁を閉方向及び開方向へ付勢して中立位置に保持する開弁側，閉弁用のばね部材とを備えた吸排気弁の電磁駆動装置において、前記吸排気弁のステムエンドに設けられたバルブリフターと前記アーマチュアの中央に設けられてバルブリフターに対向配置されたタペットとの間に、吸排気弁の開閉駆動力を伝達する伝達カムを介装し、該伝達カムは、少なくとも前記バルブリフターに当接するカム面を有し、該カム面のカムプロフィールにしたがって、前記バルブリフターを介して前記吸排気弁を開閉駆動することを特徴としている。
【００１６】
請求項２記載の発明は、前記伝達カムが、前記バルブリフターに当接する円弧凸状の第１カム面と、前記タペットに当接する円弧凸状の第２カム面とを有し、一端部を支点として揺動自在に設けられていることを特徴としている。
【００１７】
請求項３記載の発明によれば、前記伝達カムの第２カム面の長さを第１カム面よりも短く形成して、伝達カムの揺動により得られる前記タペットのリフト量を前記バルブリフターのリフト量よりも小さく設定したことを特徴としている。
【００１８】
請求項４記載の発明によれば、前記閉弁側ばね部材をバルブリフターとシリンダヘッドとの間に弾装すると共に、前記伝達カムの一端部を回動自在に支持するカム支軸に、吸排気弁のバルブクリアランスを零調整するラッシアジャスタをアームを介して連係させたことを特徴としている。
【００１９】
請求項５記載の発明は、前記吸排気弁の弁軸の軸心と前記タペットのタペット支軸の軸心を、機関巾方向へオフセット配置したことを特徴としている。
【００２０】
請求項６記載の発明は、前記アーマチュアと電磁石及びタペットとを備えた電磁駆動機構と、伝達カムとラッシアジャスタとを備えた伝達機構とを同一のケーシング内に収納保持すると共に、該ケーシングを、シリンダヘッド上に固定したことを特徴としている。
【００２１】
請求項７記載の発明は、前記閉弁側ばね部材をバルブリフターとシリンダヘッドとの間に弾装すると共に、前記バルブリフターの内部に、吸排気弁のバルブクリアランスを零調整するラッシアジャスタを設けたことを特徴としている。
【００２２】
請求項８記載の発明は、前記伝達カムが収納されるケーシングの内面に一対のボス部を対向して設けると共に、前記伝達カムを前記両ボス部間に設けられたカム支軸を支点として上下方向へ回動自在に設けたことを特徴としている。
【００２３】
【発明の実施の形態】
図１〜図４は本発明の吸排気弁の電磁駆動装置を吸気側に適用した第１の実施形態を示し、シリンダヘッド２１内に形成された吸気ポート２２の開口端を開閉する吸気弁２３と、該吸気弁２３を開閉作動させる電磁駆動機構２４と、吸気弁２３と電磁駆動機構２４との間に介装された伝達機構２５とを備えている。
【００２４】
前記吸気弁２３は、燃焼室に臨む吸気ポート２２開口端の環状バルブシート２２ａに離着座して該開口端を開閉する傘部２３ａと、該傘部２３ａの上面中央に一体に設けられてバルブガイド２６を介してシリンダヘッド２１内を摺動する弁軸であるバルブステム２３ｂとを備え、該バルブステム２３ｂのエンド部に有蓋円筒上のバルブリフター２７がシリンダヘッド２１の保持孔２１ａ内を摺動自在に設けられている。また、この吸気弁２３は、バルブステム２３ｂのステムエンドに固定されたコッタと保持孔２１ａ底面との間に弾装された閉弁用スプリング２８のばね力で閉方向に付勢されている。尚、前記保持孔２１ａの下部にはエア抜き孔２１ｂが貫通形成されている。
【００２５】
前記電磁駆動機構２４は、シリンダヘッド２１上に設けられたケーシング２９と、該ケーシング２９内に上下動自在に収納された円板状のアーマチュア３０と、ケーシング２９内のアーマチュア３０を挟んだ上下位置に固定された上側の閉弁用電磁石３１及び下側の開弁用電磁石３２と、アーマチュア３０などを介して吸気弁２３を開方向に付勢する開弁側スプリング３３とを備えている。
【００２６】
前記ケーシング２９は、図１及び図２に示すように、シリンダヘッド２１上に４本のビス３４で固定された金属製の本体２９ａと、該本体２９ａの上端一側にビス３５で固定された非磁性材のカバー２９ｂとからなり、該カバー２９側の内周面に非磁性材の筒状ホルダー３６が配置されている。また、この筒状ホルダー３６は、開口上端に閉弁用電磁石３１を保持した段差径状の非磁性材の蓋部３７が固定されていると共に、下端部に開弁用電磁石３２を保持した底壁３６ａを一体に有している。尚、前記蓋部３７の中央には、エア抜き孔３７ａが貫通形成されている。
【００２７】
前記アーマチュア３０は、上下面が両電磁石３１，３２に対向配置され、中央には下方へ延出したタペット支軸３８がナット固定されていると共に、このタペット支軸３８の下端に円板状のタペット３９が一体に設けられている。前記タペット支軸３８は、底壁３６ａの中央に有する筒壁３６ｂ内に嵌挿固定された筒状ガイド部４０を介して上下摺動自在に支持されている。さらに、前記タペット支軸３８は、その軸心Ｘが吸気弁２３のバルブステム２３ｂの軸心Ｙと所定量だけ機関巾方向へオフセット配置されている。
【００２８】
前記開閉弁用の電磁石３１，３２は、固定コア３１ａ，３２ａが横断面略Ｕ字形に形成され、互いにアーマチュア３０を介して所定の比較的小さな隙間Ｓをもって対向配置され、固定コア３１ａ，３２ａの内部に電磁コイル３１ｂ，３２ｂが巻装されている。この電磁コイル３１ｂ，３２ｂには、後述する電子制御ユニット４１からの通電−非通電信号が出力されて、アーマチュア３０を上方あるいは下方へ吸引あるいは吸引を解除するようになっている。
【００２９】
前記開弁側スプリング３３は、アーマチュア３０の上面中央と蓋部３７の下面との間に弾装されて、そのばね力が各電磁石３１，３２の消磁時には、前記閉弁側スプリング２８のばね力とバランスしてアーマチュア３０を両電磁石３１，３２のほぼ平衝中立位置に保持するようになっており、その状態で吸気弁２３は閉弁位置及び開弁位置のほぼ中間位置に保持される。
【００３０】
前記電子制御ユニット４１は、機関のクランク角センサ４２，機関回転数センサ４３，閉弁用電磁石３１の温度を検出する温度検出センサ４４及び機関負荷を検出するエアフローメータ４５からの夫々の検出値に基づいて、閉弁用，開弁用電磁石３１，３２に通電−非通電を相対的に繰り返し出力している。ここで、前記クランク角センサ４２からの回転角検出値は、吸気弁２３の開閉タイミングをクランクシャフトの回転と同期制御するためのものであり、機関回転数検出センサ４３からの検出値つまりクランクシャフトの回転数の検出値は、該回転数によって変化する各電磁石３１，３２の吸引許容時間に対処するために利用され、さらに、温度センサ４４の検出値は、温度上昇による閉弁用電磁石３１の電磁コイル３１ｂの通電抵抗増大に対処するためのものである。また、エアフローメータ４５による機関負荷検出値は、機関回転数検出値とともに吸気弁２３の開閉タイミングを最適に制御するために利用するものである。
【００３１】
そして、前記伝達機構２５は、ケーシング２９の本体２９ａ内部一側に配置され、バルブリフター２７とタペット３９との間に挾持状態に介装された伝達カム４６と、該伝達カム４６を介して吸気弁２３のバルブクリアランスを零調整する油圧ラッシアジャスタ４７と、該油圧ラッシアジャスタ４７の作動を伝達カム４６に伝達するアーム４８とを備えている。
【００３２】
前記伝達カム４６は、図１及び図５に示すように正面横し字状を呈し、一端側の円弧状ベース部４９に有する軸孔４６ａに挿通したカム支軸５０を支点として上下に揺動自在に設けられ、バルブリフター２７の上面に当接する下面が円弧凸状の第１カム面５１として構成されている一方、タペット３９の下面に当接する上面が円弧凸状の第２カム面５２として構成されている。前記第１カム面５１は、図５に示すように第２カム面５２よりも前後方向に延出されて面積が大きく設定され、ベース部４９側の第１ランプ部５１ａが緩やかな円弧面に形成されていると共に、先端側の第１リフト部５１ｂが第１ランプ部５１ａの曲率より大きな円弧面に形成されている。一方、第２カム面５２は、ベース部４９側の第２ランプ部５２ａが緩やかな円弧面に形成されていると共に、先端側の第２リフト部５２ｂが第２ランプ部５２ａの曲率より大きな円弧面に形成されている。
【００３３】
前記アーム４８は、ケーシング２９の狭巾壁に両端部が保持されたアーム支軸５３を支点としてシーソ状に揺動自在に支持され、伝達カム４６側の二又状の一端部４８ａ，４８ａに前記カム支軸５０の両端部が挿通支持されていると共に、その間に伝達カム４６のベース部４９が摺動自在に嵌入している一方、ヘラ状の他端部４８ｂの上面にラッシアジャスタ４７の後述するボディ４７ａ頭部が当接配置されている。
【００３４】
前記ラッシアジャスタ４７は、図１に示すように構成され、ケーシング本体２９ａの内部一側に有するほぼ円筒状の隔壁２９ｃ内に有底筒状のボディ４７ａが上下に摺動自在に設けられていると共に、該ボディ４７ａの内周には内部にリザーバ４７ｂを有する筒状のプランジャ４７ｃが設けられ、さらに、このプランジャ４７ｃの下端部にはボディ４７ａの頭部内の高圧室４７ｄとリザーバ４７ｂとを連通する連通孔４７ｅが形成されている。また、高圧室４７ｄ内には、連通孔４７ｅをスプリング等を介して開閉するチェックボール４７ｆが設けられている。さらに、リザーバ４７ｂ内には、ケーシング本体２９ａの一部周壁内に上下方向に沿って形成された油孔５４を介してオイルギャラリ５５から潤滑油が供給されるようになっている。そして、アーム４８の他端部４８ｂがわずかに下降すると、リザーバ４７ｂ内の油圧がチェックボール４７ｆを押し開いて高圧室４７ｄに流入してボディ４７ａを下降させて隙間を吸収して、伝達カム４６とバルブリフター２７及びタペット３９との間の隙間を常時零調整するようになっている。尚、前記オイルギャラリ５５には、図外のオイルポンプから潤滑油が導入されており、また、ラッシアジャスタ４７からリークした潤滑油は、隔壁２９ｃとホルダー３６に貫通形成された油孔５６及び筒壁３６ｂとガイド部４０に形成された油孔５７を通ってタペット支軸３８とガイド部４０との間に供給されて潤滑用に供される。
【００３５】
以下、本実施形態の作用を説明すれば、まず機関停止時には、両電磁石３１，３２の各電磁コイル３１ｂ，３２ｂに電子制御ユニット４１から通電信号が出力されず、非通電状態となっている。このため、アーマチュア３０は、図１に示すように、両スプリング２８，３３の相対的なばね力によって隙間Ｓ内のほぼ平衝中立位置に保持され、したがって、吸気弁２３もバルブシート２２ａから若干離れた中立位置になっている。この時点での伝達カム４６は、第１カム面５１の第１ランプ部５１ａがバルブリフター２７の上面に、第２カム面５２の第２リフト５２ｂがタペット３９の下面にそれぞれ当接している。
【００３６】
機関が始動されて、電子制御ユニット４１から開弁用電磁石３２の電磁コイル３２ｂに通電信号が出力されると、図３に示すようにアーマチュア３０が該電磁石３２に吸引され、かつ開弁側スプリング３３のばね力によって下降して、タペット３９が伝達カム４６を下方へ押圧する。これによって、該伝達カム４６はカム支軸５０を支点として下方へ回動して、第２カム面５２の第１ランプ部５２ａがタペット３９に転接しつつ、第１カム面５１の第１リフト部５１ｂでバルブリフター２７の上面を押圧し、閉弁側スプリング２８のばね力に抗して吸気弁２３を下降、つまり開弁させる。
【００３７】
一方、吸気弁２３の閉時には、開弁用電磁石３２への通電が遮断され、閉弁用電磁石３１の電磁コイル３１ｂに通電されるため、図４に示すようにアーマチュア３０が該電磁石３１に吸引されて上昇し、同時に閉弁側スプリング２８のばね力によってバルブリフター２７を上昇させて伝達カム４６を上方へ押圧する。これによって、伝達カム４６は、上方へ回動して第１カム面５１の第１ランプ部５１ａがバルブリフター２７の上面を転接しつつ第２カム面５２の第２リフト部５２ｂがタペット３９を上方へ押圧する。これによって、吸気弁２３は開弁側スプリング３３のばね力に抗して上昇し、傘部２３ａがバルブシート２２ａに着座して閉弁する。
【００３８】
ここで、図６Ａ，Ｂに基づいて吸気弁２３の開閉時の各電磁石３１，３２の吸引力特性及び各スプリング２８，３３のばね力特性を考察すると、図中横軸はアーマチュア３０の変位を示し、この変位特性は伝達カム４６の第１，第２カム面５１，５２のプロフィールによって吸気弁２３の開閉リフト特性の約1/2になっている。このため、吸気弁２３に伝達される両電磁石３１，３２の電磁吸引力は、伝達カム４６のテコ比によって約1/2となり、その分、両電磁吸引力を増大させる必要がある。しかし、電磁吸引力特性は、前述したようにアーマチュア３０と各電磁石３１，３２の固定コア３１ａ，３２ａとの間の距離の２乗にほぼ反比例する特性となり、約４倍の吸引力となるため、伝達カム４６のテコ比によりアーマチュア３０のストローク量を減少させることは、より大きな電磁吸引力を得やすくなり、電磁石３１，３２の有効な使用が可能になる。
【００３９】
また、本実施形態にあっては、図６Ａに示すように吸気弁２３の開閉ストロークの終端域（丸破線）では緩やかな作動特性が得られる。吸気弁２３の閉弁時を例に取って具体的に説明すれば、開閉弁側スプリング３３，２８の伝達カム４６に対する開閉方向の付勢力は吸気弁２３の開閉ストロークの終端域では、それぞれほぼ零に近くなる。
【００４０】
すなわち、例えば吸気弁２３の閉作動時には、電磁吸引力と閉弁側スプリング２８のばね力とによってバルブリフター２７が上昇するに連れて伝達カム４６との当接点は図７に示すように第１ランプ５１ａの第１リフト部５１ａ側の一端からベース部４９側の他端部に転移する。このため、閉弁側スプリング２８のばね力がバルブリフター２７を介して伝達カム４６に伝達されるモーメントは零に近づき、したがって、伝達カム４６からタペット３９，アーマチュア３０に伝達される閉弁側スプリング２８のばね力は零に近づくことになる。そして、かかる特異な作用は開弁時にも生じる。
【００４１】
したがって、基本的に伝達カム４６の第１，第２ランプ部５１ａ，５２ａで機械的にバルブリフター２７の急激な動き（特に吸気弁閉時）及びアーマチュア３０の急激な動き（特に吸気弁開時）を抑制することが可能になり、この結果、吸気弁２３は、開閉ストロークの終端域でなだらかな作動特性が得られる。要するに、伝達カム４６が開閉側スプリング３３，２８と各電磁石３１，３２の吸引力によって揺動し、回転モーメントが作用することによって制御力が大きくなり、緩衝作用が得られるのである。
【００４２】
しかも、両スプリング２８，３３のアーマチュアに作用するばね合力は、図６Ｂに示すようにアーマチュア３０の上限，下限付近からそれぞれ急激に増大する特性となり、この増大特性がそれぞれ吸気弁２３の開時及び閉時の終端域の制動力として有効に作用する。
【００４３】
したがって、吸気弁２３は、図６Ａ（特に丸破線）に示すように開閉作動時に安定した緩衝作用が得られる。この結果、傘部２３ａとバルブシート２２ａ及びアーマチュア３０と開弁電磁石３２との激しい衝突が回避され、打音や摩耗あるいは破損等の発生が防止される。
【００４４】
尚、吸気弁２３の閉時に、アーマチュア３０が上昇し終わり、閉弁用電磁石３１に接近するときは、伝達カム４６からタペット３９が一時的に離間するおそれがあるため、伝達カム４６のプロフィールによる動きの規制が不十分になる可能性もあるが、前述のように両スプリング２８，３３のばね合力が増大するため、アーマチュア３０の閉弁用電磁石３１への衝突を回避できる。
【００４５】
また、本実施形態では、電磁駆動機構２４と吸気弁２３とは別体に設けられ、伝達カム４６がバルブリフター２７を押し下げていない時（閉弁時）は、吸気弁２３は閉弁用スプリング２８のばね力によって安定かつ確実に閉弁方向に付勢することができ、しかも、油圧ラッシアジャスタ４７によって伝達カム４６と吸気弁２３のバルブステム２３ｂとの間の隙間が常時零調整されるため、常に傘部２３ａとバルブシート２２ａとの確実な密着性が得られる。つまり、吸気弁２３の熱膨張やバルブシート２２ａの摩耗等によるバルブリフター２７の上昇変位を油圧ラッシアジャスタ４７が吸収するためである。尚、伝達カム４６は、油圧ラッシアジャスタ４７のボディ４７ａ頭部に対しアーム４８を介して常に押し上げ力が作用するような外形状に形成されている。つまり、伝達カム４６は、第２リフト部５２ｂが第１リフト部５１ｂに対して拡開形状に形成され、該第２リフト部５２ｂ側がタペット３９に押圧された形になることにより、カム支軸５０が下方へ押圧されるため、アーム４８の他端部４８ｂは常に上方に押圧力が作用してボディ４７ａを押し上げている。
【００４６】
さらに、吸気弁２３やバルブリフター２７及び閉弁側スプリング２８の配置構成は、従来から採用されているカムシャフト式の動弁構造と同じであるから、これらのシリンダヘッド２１への組み付けが容易になると共に、電磁駆動機構２４と伝達機構２５がケーシング２９内に一体的に取り付けられ、これらを予めユニット化した上で、シリンダヘッド２１上に組み付けることができるため、従来のようにシリンダヘッド上での細かな組み付け作業が不要となり、装置全体の機関への搭載性（組付作業性）が良好になる。
【００４７】
図８は本発明の第２の実施形態を示し、伝達カム４６の支持構造とラッシアジャスタ７１の配置及び構造を変更したものである。
【００４８】
すなわち、ケーシング２９は、図８及び図９に示すようにシリンダヘッド２１上に４本のビス３４で固定された金属製の本体２９ａがその上端に固定された非磁性材の筒状カバー２９ｂと最大外径がほぼ同一の横断面菱形状に形成されていると共に、該本体２９ａのほぼ対向した内周面下部に中心方向へ突出した左右一対の横Ｕ字形のボス部２９ｃ，２９ｃが対向して設けられている。
【００４９】
また、伝達カム４６は、第１の実施形態のものと同一形状であって、バルブリフター２７の上面に当接する下面が円弧凸状の第１カム面５１として構成され、タペット３９の下面に当接する上面が円弧凸状の第２のカム面５２として構成されている。また、伝達カム４６の一端側の円弧状ベース部４９は、前記両ボス部２９ｃ，２９ｃ間に介装されていると共に、両端部７０ａ，７０ｂがボス部２９ｃ，２９ｃに固定されたカム軸７０を支点として他端部側が上下方向へ回動自在に設けられている。
【００５０】
さらに、前記バルブリフター２７の内部には、吸気弁２３のバルブクリアランスを零に調整する油圧ラッシアジャスタ７１が設けられている。この油圧ラッシアジャスタ７１は、図１０に示すように一般的なものであって、バルブリフター２７のほぼ中央に設けられた筒状隔壁７１ａの内周面に摺動自在に設けられた有底円筒状のプランジャ７１ｂと、該プランジャ７１ｂの内側に配置され、上端部がバルブリフター２７の上壁２７ａ下面に有するプランジャヘッド７１ｃに固定されたプランジャシート７１ｄと、該プランジャシート７１ｄ内のリザーバ室７１ｅと、プランジャ７１ｂ底部内の高圧室７１ｆとを備え、該高圧室７１ｆとリザーバ室７１ｅとの連通孔７１ｇが、スプリング７１ｓによって閉方向へ付勢されたチェックボール７１ｉによって開閉されるようになっている。また、リザーバ室７１ｅ内には、バルブリフター２７上部内の油溜り室７２及びバルブリフター２７側壁の通孔２７ｂを介してオイルメインギャラリ５５から油圧が常時供給されるようになっている。さらに、プランジャ７１ｂの底壁中央に吸気弁２３のバルブステム２３ｂ上端が当接している。そして、吸気弁２３が閉じ、伝達カム４６がそのベース部４９でバルブリフター２７の上面と当接する状態にある時で、該当接面の摩耗や高圧室７１ｆからの油圧のリークなどによりベース部４９とリフタ上面との間に隙間を有する場合、スプリング７１ｈによりプランジャ７１ｄおよびリフタ上壁２７ａが押し上げられ、高圧室７１ｆにはチェックボール７１ｉを介して油が流入するので、ベース部とリフタ上面との隙間を吸収され伝達カム４６とバルブリフター２７との間の隙間が常時零調整されるようになっている。尚、他の構成は第１の実施形態と同様である。
【００５１】
したがって、この実施形態によれば、機関停止時には、図８に示すようにアーマチュア３０は両スプリング２８，３３の相対的なばね力によって中立位置に保持され、したがって、吸気弁２３もバルブシート２２ａから若干離れた中立位置になっている。この時点での伝達カム４６は、第１カム面５１の第１リフト部５１ｂがバルブリフター２７の上面に当接し、第２カム面５２のリフトがタペット３９の下面に当接している。
【００５２】
機関始動後の吸気弁２３の開時には、図１１に示すように逆に開弁用電磁石３２の電磁コイル３２ｂへの通電に伴いアーマチュア３０が該電磁石３２に吸引され、かつ開弁側スプリング３３のばね力によって下降して、タペット３９が伝達カム４６を押し下げる。したがって、該伝達カム４６は、カム支軸７０を支点として下方（時計方向）へ回動して、第１カム面５１の第１リフト部５１ｂでバルブリフター２７の上面を押圧し、閉弁側スプリング２８のばね力に抗して吸気弁２３を開弁させる。
【００５３】
機関始動後の吸気弁２３の閉時には、図１２に示すように閉弁用電磁石３１の電磁コイル３１ｂへの通電に伴い、アーマチュア３０が電磁石３１に吸引されると共に、閉弁側スプリング２８のばね力によって伝達カム４６は上方（反時計方向）へ回動して第１カム面５１の第１ランプ部５１ａ全体がバルブリフター２７の上面に転接しつつ第２カム面５２の第２リフト部５２ｂがタペット３９を上方へ押圧する。これによって、吸気弁２３は、開弁側スプリング３３のばね力に抗して上昇し、傘部２３ａがバルブシート２２ａに着座して閉弁する。
【００５４】
したがって、第１実施形態と同様に伝達カム４６によって吸気弁２３の開閉時の緩衝作用が得られる。
【００５５】
しかも、この実施形態では、ラッシアジャスタ７１をケーシング２９内ではなく、バルブリフター２７の内部に設けたため、ケーシング本体２９ａの外径を十分に小さくすることができる。この結果、電磁駆動機構２４と伝達機構２５との組み付け性が良好になると共に、装置全体のコンパクト化が図れる。
【００５６】
さらに、伝達カム４６は、ベース部４９がケーシング本体２９ａの両ボス部２９ｃ，２９ｃ間にカム支軸７０によって安定かつ確実に支持されるため、上下方向の回動も常時安定した状態となり、この結果、電磁石３１，３２とアーマチュア３０との間の隙間Ｓの調整が容易になる。
【００５７】
図１３〜図１５は本発明の第３の実施形態を示し、１気筒当たり２つの吸気弁２３，２３と２つの排気弁６３，６３を備えたもの夫々に適用したものである。すなわち、本発明はバルブステム２３ｂ，６３ｂの軸心Ｙとアーマチュア３０のタペット支軸６８の軸Ｘとを機関巾方向へ互いにオフセット配置しているため、かかる４弁型機関に適用するについても、各電磁駆動機構２４，２４、６４，６４を機関巾方向に配置することにより、比較的大径な電磁石３１，３２、６１，６２でも容易に配置することが可能になるのである。尚、電磁石３１，３２、６１，６２を大径化することにより電磁力を高めることができので、機関の高速化に対応できる。
【００５８】
また、図１４に示すように左右の閉弁用電磁石３１，６１を傾けて上側を互いに若干離間させることにより、固定コア３１ａ，６１ａを大径化することができ、電磁力をさらに大きくすることができる。この場合、吸気弁２３を上方が離間するように互いに傾けても良いし、傾けなくても良いので燃焼室形状の設定自由度が得られる。
【００５９】
本発明は、吸気弁側に限らず排気弁側のみに適用することも可能であり、排気弁側に適用した場合は、排気弁の開時の急激な動きを規制できることによって、燃焼ガスの急激な排出が抑制され、この結果、排気音を低減させることが可能になる。
【００６０】
【発明の効果】
以上の説明で明らかなように、本発明に係る吸排気弁の電磁駆動装置によれば、特に伝達カムによって吸排気弁の開閉終端域における急激な開閉作動を十分に抑制できるため、傘部とバルブシート、並びにアーマチュアと閉弁用電磁石との激しい衝突が緩和される。この結果、激しい衝突打音の発生や摩耗あるいは破損等の発生が防止される。
【００６１】
また、ラッシアジャスタによって吸排気弁の熱膨張などによるバルブリフター上端の上昇変位を吸収して、閉弁時に伝達カムとバルブリフターのクリアランスを常時零調整できるため、吸排気弁はほぼ閉弁用ばね部材のばね力によって閉弁方向に付勢されるため、安定した閉弁保持力が得られる。
【００６２】
さらに、吸排気弁，閉弁側スプリングやバルブリフター等を電磁駆動機構とは別体とし、かつ電磁駆動機構と伝達機構とをケーシング内に一体に収納してユニット化できるため、装置のシリンダヘッドへの組み付け作業性が向上し、搭載性が良好になる。
【００６３】
請求項７及び８記載の発明によれば、ラッシアジャスタをケーシングではなく、バルブリフターの内部に収納保持したことにより、ケーシングの外径を十分に小さくすることができ、電磁駆動機構と伝達機構との組み付け作業が容易になると共に、装置全体のコンパクト化が図れ、シリンダヘッドへの搭載性がさらに良好になる。
【図面の簡単な説明】
【図１】本発明の第１実施形態を示す縦断面図。
【図２】図１のＡ−Ａ線断面図。
【図３】開弁時の作用を示す縦断面図。
【図４】閉弁時の作用を示す縦断面図。
【図５】本実施形態に供される伝達カムの正面図。
【図６】Ａは吸気弁の開閉時期特性図、Ｂは各電磁石の吸引力と各スプリングのばね力特性図。
【図７】伝達カムの作用説明図。
【図８】第２の実施形態を示す縦断面図。
【図９】図８のＢ−Ｂ線断面図。
【図１０】本実施形態に供される油圧バルブリフターを示す縦断面図。
【図１１】開弁時の作用を示す縦断面図
【図１２】閉弁時の作用を示す縦断面図。
【図１３】第３の実施形態を示す概略平面図。
【図１４】本実施形態の縦断面図。
【図１５】図９のＣ−Ｃ線断面図。
【図１６】従来の装置を示す縦断面図
【図１７】Ａは吸気弁の開閉時期特性図、Ｂは各電磁石の吸引力と各スプリングのばね力特性図。
【符号の説明】
２１…シリンダヘッド
２２ａ…バルブシート
２３…吸気弁
２３ａ…傘部
２３ｂ…バルブステム
２４…電磁駆動機構
２５…伝達機構
２７…バルブリフター
２８…閉弁側スプリング
２９…ケーシン
３０…アーマチュア
３１…閉弁用電磁石
３２…開弁用電磁石
３３…開弁側スプリング
３８…タペット支軸
３９…タペット
４１…電子制御ユニット
４６…伝達カム
４７，７１…油圧ラッシアジャスタ
４８…アーム
５０，７０…カム支軸
５１…第１カム面
５２…第２カム面
【図１】
0003831104.tif 000002
【図２】
0003831104.tif 000003
【図３】
0003831104.tif 000004
【図４】
0003831104.tif 000005
【図５】
0003831104.tif 000006
【図６】
0003831104.tif 000007
【図７】
0003831104.tif 000008
【図８】
0003831104.tif 000009
【図９】
0003831104.tif 000010
【図１０】
0003831104.tif 000011
【図１１】
0003831104.tif 000012
【図１２】
0003831104.tif 000013
【図１３】
0003831104.tif 000014
【図１４】
0003831104.tif 000015
【図１５】
0003831104.tif 000016
【図１６】
0003831104.tif 000017
【図１７】
0003831104.tif 000018